(57)【要約】 【課題】  容易に小型化できるディスク装置を提供する。【解決手段】  光ディスク１０を軸支するターンテーブルを回動端側に設けケース体１１０内に回動可能に配設した台座部２１０に、ピックアップ２４０を備えた情報処理部２４０を支持する一対のガイドシャフト２３０を設ける。情報処理部２４０の移動規制爪部２４１Ｂが係合する螺旋状の係合溝３２１を有したリードスクリュ３２０を出力軸に同軸上に連結した移動用電動モータ３１０を取付部３３０にてケース体１１０の底面に一体的に取り付ける。光ディスク１０の出し入れの際にターンテーブル２２２が光ディスク１０の移動経路から後退する後退位置に回動させた際に、情報処理部２４０を移動させる構成がケース体１１０に当接せず、良好に小型化できる。【選択図】 図３
2005293647.tif 000002
【特許請求の範囲】
【請求項１】
ディスク状記録媒体が出し入れされる開口部を有したケース体と、
このケース体内に移動可能に配設され、前記ディスク状記録媒体を回転可能に軸支する軸支部を有した台座部と、
前記ケース体内に配設され、前記台座部を前記軸支部が前記ディスク状記録媒体の移動経路上に進退する状態に移動させる移動手段と、
記録媒体の記録面に記録された情報を読み取る読取処理および前記記録面へ前記情報を記録する記録処理のうちの少なくともいずれか一方を実施する情報処理部と、
前記ケース体に配設され前記情報処理部を前記ディスク状記録媒体の記録面に沿って移動させる処理移動手段と、
を具備したことを特徴としたディスク装置。
【請求項２】
請求項１に記載のディスク装置であって、
前記処理移動手段は、前記ケース体に前記台座部に対向する位置に配設された
ことを特徴としたディスク装置。
【請求項３】
請求項１または請求項２に記載のディスク装置であって、
前記情報処理部は、前記処理移動手段に係合されて前記処理移動手段の動作により前記ディスク状記録媒体の記録面に沿って移動可能に前記台座部に支持された
ことを特徴としたディスク装置。
【請求項４】
請求項３に記載のディスク装置であって、
前記台座部は、前記情報処理部を支持するガイド部材を備え、
前記情報処理部は、係止部を有し、
前記処理移動手段は、電動モータと、前記情報処理部の移動方向に沿って長手状に形成され前記係止部が係合する螺旋状の係合部を有し前記電動モータの駆動により軸方向を回転軸して回転するスクリュ部材とを備えた
ことを特徴としたディスク装置。
【請求項５】
請求項１ないし請求項４のいずれかに記載のディスク装置であって、
前記台座部は、前記ケース体に回動可能に配設され、前記軸支部を回動端側に備え、
前記処理移動手段は、前記台座部の回動時に前記台座部の回動基端側に前記情報処理部を移動させる
ことを特徴としたディスク装置。
【請求項６】
請求項４に記載のディスク装置であって、
前記台座部は、前記ケース体に回動可能に配設され、前記軸支部を回動端側に備え、
前記電動モータは、駆動の際に回転し、前記スクリュ部材における前記台座部の回動端側の端部に略同軸上に連結される出力軸を有した
ことを特徴としたディスク装置。
【請求項７】
請求項１に記載のディスク装置であって、
前記情報処理部は、前記処理移動手段に移動可能に支持された
ことを特徴としたディスク装置。
【請求項８】
請求項７に記載のディスク装置であって、
前記情報処理部は、係止部を有し、
前記処理移動手段は、前記ケース体の内面に一体的に取り付けられ前記情報処理部を支持するガイド部材と、電動モータと、前記情報処理部の移動方向に沿って長手状に形成され前記係止部が係合する螺旋状の係合部を有し前記電動モータの駆動により軸方向を回転軸として回転するスクリュ部材とを備えた
ことを特徴としたディスク装置。
【発明の詳細な説明】
【技術分野】
【０００１】
本発明は、ディスク状記録媒体の記録面に記録された情報を読み出す情報処理および記録面へ各種情報を記録する情報処理のうちの少なくともいずれか一方を実施するディスク装置に関する。
【背景技術】
【０００２】
従来、この種のディスク装置として、ディスク状記録媒体が利用者により所定位置まで挿入されると、自動的にディスク状記録媒体を所定の処理位置まで搬送する、いわゆるスロットインタイプのディスク装置が知られている。このスロットインタイプのディスク装置は、利用者によりディスク状記録媒体の挿入を常時可能とするため、情報処理時にディスク状記録媒体を回転させるために軸支する軸支部が、情報処理時の位置から後退して、挿入されるディスク状記録媒体が軸支部に接触しない構成が採られている。そして、挿入されて所定の位置まで搬入された時点で、軸支部が情報処理時の位置に移動させてディスク状記録媒体を軸支する。
【０００３】
このスロットインタイプのディスク装置として、例えば図１および図２に示すような構成が知られている。この図１および図２に示す従来のディスク装置は、ディスク状記録媒体として例えば光ディスク１が挿入されるスリット状の開口部を有したケース体２を備えている。そして、このケース体２内には、図１に示すようなディスク処理部３と、このディスク処理部３を回動させる図示しない駆動部とが配設されている。ディスク処理部３は、駆動部にて回動可能にケース体２内に軸支される台座部３Ａを備えている。この台座部３Ａには、台座部３Ａの回動端側に配設されたスピンドルモータ３Ｂと、光ディスク１を着脱可能に軸支しスピンドルモータ３Ｂの駆動にて回転するターンテーブル３Ｃと、光ディスク１に記録された情報を読み取る読取処理や情報を記録する記録処理などを実施するピックアップ３Ｄと、このピックアップ３Ｄを光ディスク１の径方向で移動させる処理移動手段３Ｅと、が配設されている。
【０００４】
そして、ディスク処理部３は、図２（Ｂ）に示すように、光ディスク１が開口部を介して挿入あるいは排出される際にはターンテーブル３Ｃ側が光ディスク１の移動経路から後退する位置に回動される。また、所定の位置に光ディスク１が挿入されると、図２（Ａ）に示すように、ターンテーブル３Ｃ側が光ディスク１の移動経路上に進出する状態に回動され、ターンテーブル３Ｃが光ディスク１を軸支して、読取処理や記録処理可能となる。
【発明の開示】
【発明が解決しようとする課題】
【０００５】
ところで、近年の情報処理装置の小型化により、ディスク装置の小型化が望まれている。特に、携帯型のパーソナルコンピュータなどにおいては、小型化が強く要請されている。このため、全体の寸法を小さく設計した場合、上記図１および図２に示すような従来のディスク装置では、図２（Ｂ）に示すように、ターンテーブル３Ｃが情報処理時の位置から後退した状態では、ピックアップ３Ｄを移動させる処理移動手段３Ｅのステッピングモータ３Ｅ１やピックアップ３Ｄの係脱爪３Ｄ１が係合される螺旋状の係合溝３Ｅ２を有したリードスクリュ３Ｅ３を軸支するための軸支部材３Ｅ４がケース体２と干渉するおそれがある。このため、干渉する位置のケース体２の一部を切り欠くことが考えられる。しかしながら、外部からの塵埃の進入により、ピックアップ３Ｄが誤作動するなど、各部位の動作不良や損傷を生じるおそれがあるため、別途封止する部材を設ける必要があり、製造性の向上が図りにくいなどの問題点が一例として挙げられる。
【０００６】
本発明は、上述したような実情などに鑑みて、容易に小型化が図れるディスク装置を提供することを目的とする。
【課題を解決するための手段】
【０００７】
請求項１に記載の発明は、ディスク状記録媒体が出し入れされる開口部を有したケース体と、このケース体内に移動可能に配設され、前記ディスク状記録媒体を回転可能に軸支する軸支部を有した台座部と、前記ケース体内に配設され、前記台座部を前記軸支部が前記ディスク状記録媒体の移動経路上に進退する状態に移動させる移動手段と、記録媒体の記録面に記録された情報を読み取る読取処理および前記記録面へ前記情報を記録する記録処理のうちの少なくともいずれか一方を実施する情報処理部と、前記ケース体に配設され前記情報処理部を前記ディスク状記録媒体の記録面に沿って移動させる処理移動手段と、を具備したことを特徴としたディスク装置である。
【発明を実施するための最良の形態】
【０００８】
〔第１の実施の形態〕
以下、本発明の第１の実施の形態を図面に基づいて説明する。本実施の形態では、ディスク状記録媒体として光ディスクに情報を記録および読み出すいわゆるスロットインタイプのディスク装置を例示して説明するが、例えばディスク状記録媒体を搬送するトレイを備えた構成など、軸支部を備えた台座部が移動するいずれの構成も対象とすることができる。また、情報の読み出しあるいは記録のみでもよい。さらに、ディスク状記録媒体としては、光ディスクに限らず、磁気ディスク、光磁気ディスクなどのいずれのディスク状記録媒体を対象とすることができる。また、例えば携帯型のパーソナルコンピュータなどの電気機器に装着されるいわゆる薄型のスロットインタイプで例示するが、例えばゲーム機や映像データの録画などの記録や再生のための処理をする再生装置などの単体の構成としてもよく、薄型の構成に限られない。
【０００９】
（ディスク装置の構成）
図３は、第１の実施の形態に係るディスク装置の概略構成を示す一部を切り欠いた平面図である。図４は、ディスク処理部を示す一部を切り欠いた底面図である。図５は、処理移動手段が配設されたケース体の底面を示す平面図である。図６および図７は、ディスク処理部の回動状態を説明する図で、（Ａ）はディスク処理部が進出位置に位置する状態を示す説明図で、（Ｂ）は光ディスクの挿入時または排出時におけるディスク処理部が後退位置に位置する状態を示す説明図である。図８は、ピックアップの移動状況を説明する説明図である。
【００１０】
図３において、１００はディスク装置で、このディスク装置１００は、例えば携帯型のパーソナルコンピュータなどの電気機器に装着されるいわゆる薄型のスロットインタイプである。このディスク装置１００は、着脱可能に装着されるディスク状記録媒体としての円板状の光ディスク１０における少なくとも一面に設けられた図示しない記録面に記録された情報を読み出す情報処理である読取処理および記録面へ各種情報を記録する情報処理である記録処理をする。そして、ディスク装置１００は、例えば金属製で内部空間を有する略箱形状のケース体１１０を有している。このケース体１１０には、一側面に例えば合成樹脂にて細長板状に形成された化粧板１１１が設けられている。この化粧板１１１には、長手方向に沿ってスリット状に設けられた図示しない開口部が設けられている。また、ケース体１１０内には、いわゆるトラバースメカと称されるディスク処理部２００と、処理移動手段３００と、ディスク処理部２００を移動させる移動手段としての駆動部４００と、光ディスク１０を搬送する搬送手段５００と、図示しない制御回路部と、が配設されている。
【００１１】
ディスク処理部２００は、図３および図４に示すように、例えば金属板にて平面視で扁平八角形状に形成された回動体としての台座部２１０を有している。この台座部２１０は、略中央に切欠部２１１が設けられ枠状に形成されている。また、台座部２１０の内周には、逃げ部２１２が切欠部２１１に連続して切欠形成されている。さらに、台座部２１０の切欠部２１１の内周面には、台座部２１０の長手方向に沿って対向する対をなす規制手段としての段差部２１３が例えば２対設けられている。
【００１２】
そして、この台座部２１０には、周縁近傍である長手方向の一端側に位置して、ディスク回転駆動手段２２０が配設されている。このディスク回転駆動手段２２０は、スピンドルモータなどの回転用電動モータ２２１と、この回転用電動モータ２２１の出力軸２２１Ａに一体的に設けられたターンテーブル２２２と、を備えている。回転用電動モータ２２１は、制御回路部に制御可能に接続され、制御回路部から供給される電力により駆動する。ターンテーブル２２２は、光ディスク１０の中心に開口形成された図示しない軸孔に嵌挿して軸支する軸支部である略円柱状の回転軸２２２Ａと、この回転軸２２２Ａの外周面にフランジ状に突設され光ディスク１０の軸孔の周縁が載置されて支持する鍔部２２２Ｂと、を備えている。そして、ターンテーブル２２２は、回転用電動モータ２２１により、軸支する光ディスク１０とともに回転する。
【００１３】
また、台座部２１０には、ガイド部材としての一対のガイドシャフト２３０が配設されている。これらガイドシャフト２３０は、例えば金属製の細長棒状に形成され、軸方向の両端部が台座部２１０の段差部２１３間に架橋する状態に支持され、台座部２１０の長手方向に軸方向が略沿う状態に略平行に配設されている。
【００１４】
さらに、台座部２１０には、情報処理部２４０が配設されている。この情報処理部２４０は、一対のガイドシャフト２３０間に架橋する状態に支持される移動保持部２４１を備えている。この移動保持部２４１には、ガイドシャフト２３０を移動可能に嵌挿する保持部２４１Ａと、係止部としての移動規制爪部２４１Ｂと、を備えている。また、移動保持部２４１には、図示しない光源と、この光源からの光を収束するレンズ２４２Ａと、光ディスク１０で反射された出射光を検出する図示しない光センサとを備えたピックアップ２４２が配設されている。このピックアップ２４２は、制御回路部に信号を送受信可能に接続され、制御回路部の制御により、光ディスク１０の記録面に記録された各種情報を読み取って出力回路部へ出力する読取処理や、制御回路部からの各種情報を記録面に記録する記録処理を実施する。
【００１５】
また、台座部２１０には、図示しないカバー体が一体的に取り付けられている。このカバー体には、ピックアップ２４２の移動経路およびターンテーブル２２２の位置に対応して台座部２１０の長手方向に沿って長手状の処理開口部が略中央に切欠形成されている。そして、ディスク処理部２００は、台座部２１０における長手方向の一端側であるターンテーブル２２２が設けられた側が回転軸２２２Ａの軸方向に略沿う方向で回動可能に他端側がケース体１１０に軸支され、ケース体１１０内にターンテーブル２２２側が回動端となる状態に回動可能に配設されている。
【００１６】
処理移動手段３００は、図５に示すように、ケース体１１０の底面に一体的に配設され、台座部２１０に配設されガイドシャフト２３０に支持された情報処理部２４０を移動させる。この処理移動手段３００は、電動モータであるステッピングモータなどの移動用電動モータ３１０と、スクリュ部材としてのリードスクリュ３２０と、取付部３３０と、を備えている。移動用電動モータ３１０は、制御回路部に制御可能に接続され、制御回路部から供給される電力により駆動する。リードスクリュ３２０は、例えば金属製の細長棒状に形成され、情報処理部２４０の移動規制爪部２４１Ｂが係合される係合部としての螺旋状の係合溝３２１が外周面に設けられている。取付部３３０は、例えば金属板にて略長手平板状に形成され、ケース体１１０に例えばねじ３３１にて取り付けられる。この取付部３３０には、長手方向に沿って対向し、リードスクリュ３２０の軸方向の両端部をそれぞれ回転自在に軸支する一対の軸支板部３３２が折曲形成されている。また、取付部３３０には、一方の軸支板部３３２とともに移動用電動モータ３１０を保持する保持板部３３３が折曲形成されている。そして、取付部３３０は、移動用電動モータ３１０の図示しない出力軸がリードスクリュ３２０の軸方向の一端に略同軸上に一体的に連結する状態に移動用電動モータ３１０およびリードスクリュ３２０をそれぞれ保持し、ケース体１１０の底面に取り付けられる。この取付位置は、ディスク処理部２００の回動時に台座部２１０が接触しない状態に台座部２１０の逃げ部２１２に対応し、リードスクリュ３２０の軸方向がガイドシャフト２３０の軸方向に略平行となる状態で配設される。すなわち、移動用電動モータ３１０の駆動によりリードスクリュ３２０が回転しても、情報処理部２４０の移動規制爪部２４１Ｂが係合溝３２１から外れない状態となっている。
【００１７】
駆動部４００は、図３に示すように、ケース体１１０に配設された、例えば制御回路部に動作制御される図示しないモータと、このモータの駆動により移動する移動カム４１０と、を備えている。移動カム４１０は、台座部２１０に外方に向けて突設された係合爪２１４に係合するとともにモータに係合し、モータの駆動により移動されて台座部２１０を回動させる。この台座部２１０の回動は、搬送手段５００により光ディスク１０が搬送される移動経路上に、ターンテーブル２２２の回転軸２２２Ａが進退する状態である。具体的には、ターンテーブル２２２の回転軸２２２Ａが光ディスク１０の移動経路上に進出する状態の図６（Ａ）および図７（Ａ）に示す進出位置と、ターンテーブル２２２の回転軸２２２Ａが光ディスク１０の移動経路上から後退して待避する状態の図６（Ｂ）および図７（Ｂ）に示す後退位置との位置間で回動させる。
【００１８】
搬送手段５００は、図３に示すように、ケース体１１０に配設された、例えば制御回路部に動作制御される図示しない搬送モータと、この搬送モータの駆動により連動する図示しないリンク機構部と、搬入検出手段としての検知スイッチ５２０と、を備えている。リンク機構部は、検知アーム５３１と、連動アーム５３２と、図示しない搬入アームと、を備えている。これら検知アーム５３１、連動アーム５３２および搬入アームは、例えば金属板などにて細長板状に形成され、それぞれ長手方向の一端部がケース体１１０に回動可能に軸支されている。そして、検知アーム５３１および連動アーム５３２は、長手方向の中間部が互いに回動可能に軸支されて連結され、検知アーム５３１の回動に伴って連動アーム５３２が回動する。また、搬入アームは、他端側がケース体１１０の開口部近傍で内方へ回動可能に配設され、他端側が光ディスク１０の周縁に当接して光ディスク１０を搬入させる。そして、検知アーム５３１および搬入アームの回動側の先端近傍には、軸方向における略中央が径小に形成され周面に光ディスク１０の周縁が当接される図示しない滑車が回転自在に軸支されている。なお、検知アーム５３１および搬入アームは、比較的に強い力が作用した場合には付勢に抗して外側へ移動可能、具体的には光ディスク１０が開口部内へ押し込まれた場合には光ディスク１０の周面により外側へ押し出されるように回動可能となっている。
【００１９】
駆動手段の検知スイッチは、ケース体１１０に配設され、連動アーム５３２の回動状態によりオンオフする。具体的には、検知アーム５３１が待機位置（図３参照）と略同位置である搬入完了位置近傍でオフし、検知アーム５３１がそれ以外の回動した状態でオンする状態となっている。そして、この検知スイッチ５２０のオンオフ信号は、制御回路部の制御部制御手段へ出力される。
【００２０】
制御回路部は、例えば各種電気部品が搭載された回路基板に回路構成として構成され、ディスク装置１００全体の動作を制御する。また、制御回路部は、搬送手段５００の検知スイッチ５２０のオンオフに基づいて光ディスク１０の挿入を検知、すなわち検知スイッチ５２０がオフとなったことを認識すると、光ディスク１０が挿入されたと判断し、駆動部４００を動作させてディスク処理部２００を図６（Ａ）および図７（Ａ）に示す進出位置に回動させる制御をする。また、制御回路部は、光ディスク１０の排出を要求する例えばイジェクトボタンの操作を認識、あるいは電気機器からの光ディスク１０を排出させる指令信号などを認識すると、移動用電動モータ３１０を駆動させて情報処理部２４０を台座部２１０の回動基端側の端部位置、具体的には図８中の最外周位置Ａへ移動させる制御をする。さらには、制御回路部は、情報処理部２４０の端部位置への移動が完了したことを認識すると、駆動部４００を動作させてディスク処理部２００を図６（Ｂ）および図７（Ｂ）に示す後退位置に回動させる制御をする。そして、制御回路部は、搬送手段５００の搬送モータを駆動させてリンク機構部を移動させ、光ディスク１０を開口部から排出させる制御をする。
【００２１】
（ディスク装置の動作）
次に、上記第１の実施の形態におけるディスク装置１００の動作を説明する。
【００２２】
まず、電気機器の電源の投入により、ディスク装置１００に電力が供給される。この電力の供給により、制御回路部は検知スイッチ５２０のオンオフ状態に基づいてディスク処理部２００の回動状態を認識する。具体的には、検知スイッチ５２０がオフしている場合には、リンク機構部の検知アーム５３１が待機状態であると判断し、ディスク処理部２００が図６（Ａ）および図７（Ａ）に示す進出位置と判断し、光ディスク１０が挿入されて搬入完了位置に位置すると判断する。一方、検知スイッチ５２０がオンしている場合には、検知アーム５３１の先端が開口部側へ回動していると判断し、ディスク処理部２００が図６（Ｂ）および図７（Ｂ）に示す後退位置と判断し、光ディスク１０が装填されていない光ディスク１０の挿入待機状態と判断する。そして、制御回路部は、電気機器の動作を制御する回路へ光ディスク１０が挿入されているか否かに関する信号を出力する。
【００２３】
そして、光ディスク１０の挿入待機状態で光ディスク１０が開口部から挿入されると、光ディスク１０の周縁が検知アーム５３１の滑車に当接する。この状態でさらに光ディスク１０が押し込まれると、検知アーム５３１および搬入アームが付勢に抗して外側へ回動される状態に押し出される。そして、光ディスク１０がある程度まで押し込まれると、搬入アームが光ディスク１０の周縁を乗り越える状態となり、再び搬入アームが内方に回動する状態に付勢力が作用し、この付勢力により光ディスク１０が挿入完了位置へ搬入される。
【００２４】
さらに、光ディスク１０が図３に示す搬入完了位置の手前まで搬入されると、検知スイッチ５２０がオフする。そして、制御回路部は、この検知スイッチ５２０のオフを認識すると、駆動部４００のモータを駆動させて移動カム４１０を移動させてディスク処理部２００を図６（Ａ）および図７（Ａ）に示す進出位置へ回動させる処理を開始する。そして、光ディスク１０が図３に示す搬入完了位置まで搬入されると、検知アーム５３１が待機位置となって光ディスク１０の移動が規制される。この搬入完了位置に光ディスク１０が位置することにより、図６（Ａ）および図７（Ａ）に示すように、回動しているディスク処理部２００のターンテーブル２２２の回転軸２２２Ａが光ディスク１０の略中央に開口する軸孔に嵌挿し、光ディスク１０がターンテーブル２２２に軸支される。
【００２５】
この後、制御回路部は、検知スイッチ５２０のオフにより、光ディスク１０が搬入完了位置まで搬入されてディスク処理部２００が図６（Ａ）および図７（Ａ）に示す進出位置となって光ディスク１０を軸支している状態と判断し、ピックアップ２４２の位置を認識する初期化処理を実施させる。具体的には、図８に示すように、ピックアップ２４２が光ディスク１０の内周側であるターンテーブル２２２側へ移動可能範囲Ｗの全域の距離を移動するために必要な数と同数あるいは若干多い数の駆動周波数の駆動パルスを移動用電動モータ３１０へ供給させる。この駆動パルスの供給により、情報処理部２４０が内周側へ移動され、ディスク処理部２００におけるターンテーブル２２２側の内周側に位置する段差部２１３に当接する。そして、制御回路部は、所定の駆動パルスの供給を完了したことを認識すると、ピックアップ２４２が最内周位置Ｂに位置したと判断し、内部カウンタを最内周位置Ｂである旨の値に設定し、ピックアップ２４２の位置を認識する。
【００２６】
そして、光ディスク１０の記録面に記録された各種情報を読み取る読取処理や記録面へ各種情報を記録する記録処理などの情報処理の要求に基づいて、制御回路部は回転用電動モータ２２１、移動用電動モータ３１０およびピックアップ２４２の動作を適宜制御し、情報処理を実施する。なお、制御回路部は、情報処理の終了後や初期化処理の終了後で次の動作の待機状態となる際、情報処理部２４０を待機位置、すなわちピックアップ２４２が最外周位置Ａに位置する状態に、内部カウンタに基づいて所定数の駆動パルスを移動用電動モータ３１０へ出力する制御をする。
【００２７】
一方、例えば光ディスク１０の排出を要求するイジェクトボタンなどの操作や電気機器からの排出を要求する要求信号を制御回路部が認識すると、制御回路部は移動用電動モータ３１０の駆動を制御して、図８に示すように、ピックアップ２４２がディスク処理部２００の回動基端側である最外周位置Ａに位置する状態に情報処理部２４０を移動させる。この後、制御回路部は、駆動部４００のモータを駆動させて移動カム４１０を移動させ、ディスク処理部２００を図６（Ｂ）および図７（Ｂ）に示す後退位置へ回動させる。このディスク処理部２００の回動により、ターンテーブル２２２の回転軸２２２Ａが光ディスク１０から外れる。そして、このディスク処理部２００の回動後、制御回路部は、搬送モータを駆動させ、検知アーム５３１を回動させて光ディスク１０を押し出し、光ディスク１０を開口部から排出する。なお、この排出される状態は、例えば完全に排出されずに光ディスク１０の一部が開口部内に位置して落脱しない状態で支持される。
【００２８】
（第１の実施の形態における作用効果）
上述したように、上記第１の実施の形態では、光ディスク１０を回転可能に軸支するターンテーブル２２２、および光ディスク１０の記録面に記録された情報を読み取る読取処理や記録面へ情報を記録する記録処理を実施する情報処理部２４０が配設されたディスク処理部２００の台座部２１０を、ケース体１１０内に移動可能に配設するとともに、情報処理部２４０を光ディスク１０の記録面に沿って移動させる処理移動手段３００をケース体の底面に一体的に取り付ける。このため、例えば光ディスク１０の挿入時あるいは排出時にターンテーブル２２２が光ディスク１０と干渉しないように台座部２１０を図６（Ｂ）および図７（Ｂ）に示すように移動させた際、図１に示す従来技術のように、処理移動手段３００がケース体１１０に干渉してしまうことがなく、良好にケース体１１０を小型化することができる。また、ケース体１１０に処理移動手段３００が干渉しないような孔を設けるなどの加工が不要で、ケース体１１０の製造性の向上が容易に図れるとともに、孔を設けることによるケース体１１０の強度低下や塵埃の進入による各部位における動作不良などのおそれもなく、良好な情報処理が得られる。
【００２９】
また、台座部２１０の回動に伴う処理移動手段３００の移動がなくなるので、その移動量分だけ移動用電動モータ３１０を大きくすることが可能となる。このことにより、従来に比して、移動用電動モータ３１０の駆動トルクに余力が生じ、高精度で安定した情報処理部２４０の移動特性が得られる。
【００３０】
そして、光ディスク１０を軸支するターンテーブル２２２を有し移動される台座部２１０に、情報処理部２４０を移動可能に配設している。このため、情報処理のために光ディスク１０を軸支して回転させるターンテーブル２２２と、情報処理を実施する情報処理部２４０とが台座部２１０に一体的に構成されるため、光ディスク１０の位置関係の設定が容易で安定した情報処理が得られる。
【００３１】
さらに、台座部２１０に配設した情報処理部２４０に設けた移動規制爪部２４１Ｂを、移動用電動モータ３１０の出力軸に同軸上に一体に連結して軸方向を回転軸として回転されるリードスクリュ３２０の螺旋状の係合溝３２１に係合させる構成としている。このため、ケース体１１０に固定された処理移動手段３００による駆動により、回動する台座部２１０に配設された情報処理部２４０を移動させることが可能な構成が得られるとともに、この構成が爪を係合させる簡単な構成ででき、従来利用されている構造を利用しても可能で特別な構成を用いることなく容易に構成でき、製造性の向上が容易に図れる。
【００３２】
また、台座部２１０に配設した一対のガイドシャフト２３０に情報処理部２４０を移動可能に支持している。このため、処理移動手段３００の動作により情報処理部２４０が移動する際に、光ディスク１０の記録面に沿った安定した移動が、台座部２１０にガイドシャフト２３０を設ける簡単な構成で容易に得られる。
【００３３】
さらに、移動する情報処理部２４０側を突出する爪形状とし、移動させる処理移動手段３００側を螺旋状の溝形状としている。このため、台座部２１０を回動させても係合状態が得られる構成が容易に得られるとともに、移動規制爪部２４１Ｂおよび係合溝３２１の形成が容易にでき、製造性の向上が容易に図れる。
【００３４】
また、台座部２１０に処理移動手段３００が干渉しないように逃げ部２１２を設けている。このため、台座部２１０を移動しても台座部２１０に干渉することなく情報処理部２４０を移動させるための処理移動手段３００を配設できる。また、この逃げ部２１２に位置して処理移動手段３００を一体的に台座部２１０に配設して従来技術のように構成させることも可能であることから、部品の共用ができ、コストの低減なども容易に図れる。
【００３５】
そして、ディスク処理部２００の移動を回動とし、制御回路部の制御により、ディスク処理部２００を回動させる際に情報処理部２４０を処理移動手段３００にて回動基端側、すなわちピックアップ２４２が最外周位置Ａに位置する状態に移動させている。このため、移動カム４１０を用いる簡単な構成でディスク処理部２００を移動させる構成が得られる。さらには、待機位置に回動させた際に、ピックアップ２４２がケース体１１０の底面に当接しない状態に待避される位置となり、よりケース体１１０の小型化が得られるとともに、ケース体１１０にピックアップ２４２が当接しない構成、例えば孔を設けたり凹部を設けるなどの特別の構成を設けたりする必要が無く、ケース体１１０の製造性の向上やケース体１１０の強度低下などのおそれもない。
【００３６】
また、ディスク処理部２００を回動基端側に移動させるため、この位置での互いに係合し合う情報処理部２４０とリードスクリュ３２０との相対的な位置関係の変動を最も小さくでき、係合が外れたり、係合部分が損傷したりするなどを防止でき、確実な係合状態が得られる。さらには、回動に伴って相対的な係合位置のずれが生じにくく、安定した情報処理部２４０による情報処理が得られる。
【００３７】
さらに、ディスク処理部２００の回動時に情報処理部２４０を待避させる位置、すなわちピックアップ２４２が最外周位置Ａに位置する情報処理部２４０の待避位置と、次の処理の待機位置とを同一位置として制御回路部が移動用電動モータ３１０の移動を制御している。このため、待機後にディスク処理部２００を回動させる場合に、情報処理部２４０を移動させる必要がなく、光ディスク１０の排出までの時間を短縮でき、使い勝手を向上できる。
【００３８】
〔第２の実施の形態〕
次に、本発明における第２の実施の形態を図面に基づいて説明する。
【００３９】
（ディスク装置の構成）
図９は、第２の実施の形態に係るディスク装置におけるケース体の底面を示す平面図である。図１０は、ディスク処理部を示す一部を切り欠いた底面図である。なお、第１の実施の形態と同一の構成については、同一の符号を付して説明を省略または簡略化する。
【００４０】
図９において、６００はディスク装置で、このディスク装置６００は、例えば携帯型のパーソナルコンピュータなどの電気機器に装着されるいわゆる薄型のスロットインタイプである。このディスク装置６００は、第１の実施の形態と同様のケース体１１０を有している。そして、ケース体１１０内には、台座部２１０と、処理移動手段としての移動処理部７００と、台座部２１０を移動させる駆動部４００と、搬送手段５００と、図示しない制御回路部と、が配設されている。
【００４１】
台座部２１０には、第１の実施の形態における一対のガイドシャフト２３０に対応する位置に、逃げ部２１２と同様に、切欠部２１１に連続して第２の逃げ部２１５が設けられている。そして、この台座部２１０には、第１の実施の形態と同様に、ディスク回転駆動手段２２０が配設されている。
【００４２】
移動処理部７００は、ケース体の底面に一体的に配設されている。この移動処理部７００は、情報処理部２４０を移動可能に支持するガイド部材としてのガイド部７１０と、第１の実施の形態の処理移動手段３００と、を備えている。そして、ガイド部７１０は、第１の実施の形態と同様の一対のガイドシャフト２３０と、これらガイドシャフト２３０を支持するシャフト支持部７１１と、を備えている。シャフト支持部７１１は、ガイドシャフト２３０の軸方向の一端を支持してそれぞれ例えばねじ止めなどによりケース体１１０の底面に一体的に取り付けられる。そして、ガイド部７１０は、回動可能に軸支された台座部２１０のターンテーブル２２２に軸支される光ディスク１０の径方向にガイドシャフト２３０がそれぞれ平行となる状態で、台座部２１０が回動しても台座部２１０に接触しない状態に台座部２１０の第２の逃げ部２１５に対応して配設される。
【００４３】
そして、この移動処理部７００のガイド部７１０に情報処理部２４０が移動可能に支持される。さらに、情報処理部２４０は、移動規制爪部２４１Ｂが処理移動手段３００のリードスクリュ３２０の係合溝３２１に係合され、移動用電動モータ３１０の駆動により回転するリードスクリュ３２０によりガイド部７１０にて案内されつつ移動される。
【００４４】
制御回路部は、第１の実施の形態と同様に、ディスク装置６００全体の動作を制御する。なお、この制御回路部は、第１の実施の形態のようなディスク処理部２００を回動させる際に情報処理部２４０を最外周位置Ａに移動させる処理を、実施しなくてもよい。
【００４５】
（第２の実施の形態における作用効果）
上述したように、上記第２の実施の形態では、光ディスク１０を回転可能に軸支するターンテーブル２２２が配設された台座部２１０をケース体１１０内に移動可能に配設するとともに、情報処理部２４０を光ディスク１０の記録面に沿って移動させる処理移動手段３００をケース体１１０の底面に一体的に取り付ける。このため、第１の実施の形態と同様に、台座部２１０を回動させた際に、図１に示す従来技術のように、処理移動手段３００がケース体１１０に干渉してしまうことがなく、良好にケース体１１０を小型化することができる。また、ケース体１１０に処理移動手段３００が干渉しないような孔を設けるなどの加工が不要で、ケース体１１０の製造性の向上が容易に図れるとともに、孔を設けることによるケース体１１０の強度低下や塵埃の進入による各部位における動作不良などのおそれもなく、良好な情報処理が得られる。
【００４６】
そして、台座部２１０に逃げ部２１２および第２の逃げ部２１５を設け移動処理部７００が干渉しない構成としている。このため、第１の実施の形態と同様に、台座部２１０を移動しても台座部２１０に移動処理部７００が干渉することなく情報処理部２４０が組み付けられた移動処理部７００を配置できる。さらに、逃げ部２１２に位置して処理移動手段３００を一体的に台座部２１０に配設するとともに、第２の逃げ部に位置してガイド部７１０を一体的に台座部２１０に配設することで従来技術のように構成されることも可能で、部品の共用ができ、コストの低減なども容易に図れる。
【００４７】
また、第２の実施の形態では、回動させる台座部２１０とは別にケース体１１０に一体的に取り付けた移動処理部７００に情報処理部２４０を一体的に配設している。このため、上述した第１の実施の形態における作用効果の他、台座部２１０の回動の際の振動が情報処理部２４０に伝達されにくく、安定した情報処理が得られる。さらには、情報処理部２４０を移動させる移動処理部７００に支持している。このため、移動させる構成に情報処理部２４０を一体的に組み付けているので、良好な情報処理部２４０を高精度で安定して移動させることができ、良好な情報処理が得られるとともに、組立製造性の向上が容易に図れる。
【００４８】
さらに、台座部２１０を回動させても情報処理部２４０とリードスクリュ３２０との係合状態が変動せず、台座部２１０の回動による情報処理部２４０の移動が生じず、安定した情報処理が確実に得られる。さらに、ケース体１１０に取り付けた移動処理部７００に情報処理部２４０を一体的に配設しているため、台座部２１０を回動させても情報処理部２４０がケース体１１０と干渉することがない。このため、台座部２１０の回動の際に回動基端側の待避位置、すなわちピックアップ２４２が最外周位置Ａに位置する状態に情報処理部２４０を移動させる処理を実施する必要が無くなる。したがって、上述したように、処理の迅速化が容易に図れる。
【００４９】
〔実施形態の変形〕
なお、本発明は、上述した各実施の形態に限定されるものではなく、本発明の目的を達成できる範囲で以下に示される変形をも含むものである。
【００５０】
すなわち、ディスク状記録媒体を利用するディスク装置１００，６００について例示したが、上述したように、光ディスク１０に限らず、磁気ディスク、光磁気ディスクなどのいずれのディスク状記録媒体を対象とすることができ、いわゆるスロットインタイプのディスク装置の他、軸支部を備えた台座部が移動するいずれの構成を対象とすることができる。また、読取処理あるいは記録処理の一方のみを処理する構成のものにも適用できる。搬送手段５００としてリンク機構部に限らず、ローラを用いて搬送する構成などいずれのものでも適用できる。さらには、電気機器に組み込まれる構成に限らず、単体として構成したものでもよい。また、ディスク装置１００内に搭載する回路基板とした制御回路部として、１つの素子やプログラム構成とするなどしてもよい。
【００５１】
そして、ピックアップ２４２を備えた情報処理部２４０を移動させる構成として、ステッピングモータに限らず、いずれのモータでもできる。
【００５２】
また、情報処理部２４０をディスク状記録媒体の記録面に沿って移動させる構成として、一対のガイドシャフト２３０に支持してリードスクリュ３２０の回転にて移動させる構成に限らず、例えばリニアモータなどの磁力により支持して極性の切替で移動させる構成など、いずれの構成が利用できる。
【００５３】
さらに、台座部２１０を回動させる構成について説明したが、例えば台座部２１０の全体をスライド移動させるなど、いずれの移動形態としてもよい。そして、移動させる構成としては、移動カム４１０を利用する構成の他、リンク機構を利用するものなど、いずれの方法が適用できる。
【００５４】
また、初期化処理において、ピックアップ２４２の移動を規制する構成としては、台座部２１０の段差部２１３やガイド部７１０のシャフト支持部７１１を利用する構成に限らず、例えばガイドシャフト２３０の端部近傍に径大となる膨出部を設けて移動を規制するなど、いずれの構成が利用できる。なお、段差部２１３を利用することで、移動を規制する構成を別途設ける必要がなく、構成の簡略化が容易に得られ、製造性の向上やさらなる小型化などが容易に図れる。
【００５５】
そして、ディスク処理部２００を回動させる構成として、モータの駆動により移動カム６１０が移動する構成で説明したが、例えば検知アーム７３１の回動に伴って移動カム６１０が移動することにより回動させるなど、いずれの構成が利用できる。さらに、光ディスク１０が搬入完了位置の直前から回動し始める構成について説明したが、搬入完了位置に位置してから回動を開始させてもよい。なお、搬入完了位置の直前から回動し始め、搬入完了位置では回転軸２２２Ａが軸孔に嵌挿する構成としているので、動作が平行して進行するため、情報処理を開始するまでの時間が短くなり、使い勝手を向上できる。
【００５６】
さらに、第１の実施の形態において、待機位置を最外周位置Ａとして説明したが、次の情報処理の待機の場合には、最内周位置Ｂを待機位置として待機位置をそれぞれ処理内容に応じて変更するなどしてもよい。同様に、第２の実施の形態において、待機位置を最内周位置Ｂとして移動制御するようにしてもよい。この構成により、例えば光ディスク１０がＣＤ−ＤＡ（Compact Disk-Digital Audio）の場合におけるＴＯＣ（Table Of Contents）情報など、記録されている情報に関する内容を認識するためのリードインエリア（Lead-in Area）を内周側に記録する光ディスク１０が大半であることから、待機状態から情報処理をするため、あるいは光ディスク１０の有無を検出するためにリードインエリアとプログラムエリア（ＰＡ：Program Area）との境界位置に焦点が合う内部カウンタが「０」となる位置まで情報処理部２４０を移動させる処理が少しの距離を移動させるのみでよい。したがって、情報処理や内部カウンタが「０」までの移動の処理に要する時間が短縮し、迅速な処理が容易に得られる。さらに、これらの待機位置の処理を実施しなくてもよい。
【００５７】
また、台座部２１０の回動の際、情報処理部２４０の移動規制爪部２４１Ｂとリードスクリュ３２０の係合溝３２１との係合状態が維持された状態で説明したが、例えば情報処理部２４０が移動されない待避する状態に回動した際に係合状態が外れ、進出位置に回動した際に係合する構成としてもよい。この場合、回動方向から係合する状態の構成とすることが好ましい。また、係合する際に情報処理部２４０の位置がずれるおそれがあることから、例えばいわゆる脱調などによる情報処理部２４０の位置を認識する初期化処理を実施することが好ましい。
【００５８】
その他、本発明の実施の際の具体的な構造および手順は、本発明の目的を達成できる範囲で他の構造などに適宜変更できる。
【００５９】
〔実施の形態の効果〕
上述したように、光ディスク１０を回転可能に軸支するターンテーブル２２２が配設された台座部２１０をケース体１１０内に移動可能に配設するとともに、情報処理部２４０を光ディスク１０の記録面に沿って移動させる処理移動手段３００をケース体１１０の底面に一体的に取り付ける。このため、台座部２１０を回動させた際に処理移動手段３００がケース体１１０に干渉してしまうことがなく、ケース体１１０に処理移動手段３００が干渉しないような孔を設けるなどの加工が不要で、ケース体１１０の製造性の向上が容易に図れ、孔を設けることによるケース体１１０の強度低下や塵埃の進入による各部位における動作不良などのおそれもなく、良好に小型化できる。
【図面の簡単な説明】
【００６０】
【図１】従来技術に係るディスク装置のディスク処理部を示す平面図である。
【図２】上記従来技術におけるディスク処理部の回動状況を示す一部を切り欠いた断面図で、（Ａ）はディスク処理部が進出位置に位置する状態を示す図で、（Ｂ）は光ディスクの挿入時または排出時におけるディスク処理部が後退位置に位置する状態を示す図である。
【図３】本発明における第１の実施の形態に係るディスク装置の概略構成を示す一部を切り欠いた平面図である。
【図４】前記第１の実施の形態におけるディスク処理部を示す一部を切り欠いた底面図である。
【図５】前記第１の実施の形態におけるケース体の底面を示す平面図である。
【図６】前記第１の実施の形態におけるディスク処理部の回動状態を説明する説明図で、（Ａ）はディスク処理部が進出位置に位置する状態を示す説明図で、（Ｂ）は光ディスクの挿入時または排出時におけるディスク処理部が後退位置に位置する状態を示す説明図である。
【図７】前記第１の実施の形態におけるディスク処理部の回動状態を示す一部を切り欠いた断面図で、（Ａ）はディスク処理部が進出位置に位置する状態を示す図で、（Ｂ）は光ディスクの挿入時または排出時におけるディスク処理部が後退位置に位置する状態を示す図である。
【図８】前記第１の実施の形態におけるピックアップの移動状況を説明する説明図である。
【図９】本発明における第２の実施の形態に係るディスク装置のケース体の底面を示す平面図である。
【図１０】前記第２の実施の形態におけるディスク処理部を示す一部を切り欠いた底面図である。
【符号の説明】
【００６１】
１０…ディスク状記録媒体である光ディスク
１００，６００…ディスク装置
１１０…ケース体
２１０…台座部
２３０…ガイド部材としてのガイドシャフト
２４０…情報処理部
２４１Ｂ…係止部としての移動規制爪部
３００…処理移動手段
３１０…電動モータである移動用電動モータ
３２０…スクリュ部材としてのリードスクリュ
３２１…係合部
４００…移動手段としての駆動部
７００…処理移動手段としての移動処理部
７１０…ガイド部材としてのガイド部
【図１】
2005293647.tif 000003
【図２】
2005293647.tif 000004
【図３】
2005293647.tif 000005
【図４】
2005293647.tif 000006
【図５】
2005293647.tif 000007
【図６】
2005293647.tif 000008
【図７】
2005293647.tif 000009
【図８】
2005293647.tif 000010
【図９】
2005293647.tif 000011
【図１０】
2005293647.tif 000012